(57)【特許請求の範囲】
【請求項１】
吸引力を発生する電動送風機と、前記電動送風機の吸引側に集塵室が設けられている電気掃除機本体と、ホース体とハンドルグリップと延長管と吸口体とを有し、前記ホース体、前記ハンドルグリップおよび前記延長管には、電源線が設けられている電気掃除機において、
前記ハンドルグリップと前記延長管との間または前記延長管と前記吸口体との間に接続可能な吸込具を有し、
前記吸込具は、ハケ部材と、前記ハケ部材の外周を覆うケースと、当該吸込具の前方から当該吸込具に挿入される前記延長管や前記吸口体と電気的に接続可能な接触片を覆う安全カバーとを備え、
前記ハケ部材は、当該吸込具の前方から当該吸込具に前記延長管や前記吸口体が挿入された状態では、前記ケースに収納され、当該吸込具から前記延長管や前記吸口体が取り外された状態では、前方に出ることが可能で、
前記安全カバーは、前記ハケ部材が前記ケースに収納されているときは前記接触片を露出させ、前記ハケ部材が前方へ出ているときは前記接触片を覆うことを特徴とする電気掃除機。
【請求項２】
請求項１において、
前記安全カバーは、前記ハケ部材が前方へ出ているときは、前記ハケ部材に規制されて前記接触片を覆うことを特徴とする電気掃除機。
【請求項３】
請求項１において、
前記安全カバーは、前記ハケ部材が前方へ出ているときは、前記ハケ部材に接触し規制されて前記接触片を覆うことを特徴とする電気掃除機。
【請求項４】
請求項３において、
前記安全カバーは、前記ハケ部材が前記ケースに収納されているときは、前記ハケ部材に接触しないことを特徴とする電気掃除機。
【請求項５】
請求項１において、
前記安全カバーは、アームを備え、
前記安全カバーは、前記ハケ部材が前記ケースに収納されているときは、前記アームが前記ハケ部材に接触せず、前記ハケ部材が前方へ出ているときは、前記アームが前記ハケ部材に接触し規制されて前記接触片を覆うことを特徴とする電気掃除機。
【請求項６】
請求項１において、
前記安全カバーは、左右のアームを備え、
前記安全カバーは、前記ハケ部材が前記ケースに収納されているときは、前記左右のアームの両脇に設けられた突起が前記ハケ部材に接触せず、前記ハケ部材が前方へ出ているときは、前記左右のアームの両脇に設けられた突起が前記ハケ部材の壁面に接触し前記左右のアームの左右のひろがりが規制されて前記左右のアームによって前記接触片を覆うことを特徴とする電気掃除機。
【請求項７】
電気掃除機の吸込具において、
ハケ部材と、
前記ハケ部材の外周を覆うケースと、
当該吸込具の前方から当該吸込具に挿入される電気掃除機の延長管や吸口体と電気的に接続可能な接触片を覆う安全カバーとを備え、
前記ハケ部材は、当該吸込具の前方から当該吸込具に前記電気掃除機の延長管や吸口体が挿入された状態では、前記ケースに収納され、当該吸込具から前記電気掃除機の延長管や吸口体が取り外された状態では、前方に出ることが可能で、
前記安全カバーは、前記ハケ部材が前記ケースに収納されているときは前記接触片を露出させ、前記ハケ部材が前方へ出ているときは前記接触片を覆うとを特徴とする電気掃除機の吸込具。
【請求項８】
請求項７において、
前記安全カバーは、前記ハケ部材が前方へ出ているときは、前記ハケ部材に規制されて前記接触片を覆うことを特徴とする電気掃除機の吸込具。
【請求項９】
請求項７において、
前記安全カバーは、前記ハケ部材が前方へ出ているときは、前記ハケ部材に接触し規制されて前記接触片を覆うことを特徴とする電気掃除機の吸込具。
【請求項１０】
請求項９において、
前記安全カバーは、前記ハケ部材が前記ケースに収納されているときは、前記ハケ部材に接触しないことを特徴とする電気掃除機の吸込具。
【請求項１１】
請求項７において、
前記安全カバーは、アームを備え、
前記安全カバーは、前記ハケ部材が前記ケースに収納されているときは、前記アームが前記ハケ部材に接触せず、前記ハケ部材が前方へ出ているときは、前記アームが前記ハケ部材に接触し規制されて前記接触片を覆うことを特徴とする電気掃除機の吸込具。
【請求項１２】
請求項７において、
前記安全カバーは、左右のアームを備え、
前記安全カバーは、前記ハケ部材が前記ケースに収納されているときは、前記左右のアームの両脇に設けられた突起が前記ハケ部材に接触せず、前記ハケ部材が前方へ出ているときは、前記左右のアームの両脇に設けられた突起が前記ハケ部材の壁面に接触し前記左右のアームの左右のひろがりが規制されて前記左右のアームによって前記接触片を覆うことを特徴とする電気掃除機の吸込具。
【発明の詳細な説明】
【技術分野】
【０００１】
本発明は電気掃除機に係り、特にハケ等を備えた電気掃除機の吸込具に関するものである。
【背景技術】
【０００２】
一般的な床移動型電気掃除機では、集塵部や電動送風機を備えた掃除機本体にホース及び延長管が接続され、その先端には床面のゴミを吸い込むための吸口体が取り付けられている。また、隙間や棚面など前記吸口体を用いて十分に掃除できないところには補助吸込具が用いられる。この吸込具は、使用したいときにすぐに使用者の手元にないと不便であるため、延長管など他の部材に取り付けておく構成が提案されている。
【０００３】
しかしこの構成では、延長管に取り付けられた吸込具が邪魔になって作業しにくいものであったり、作業中に、はずれて落ちたりすることがあった。
【０００４】
そこで、吸込具を延長管の手元側に直列に接続し、延長管をはずす事により、ハケ等が露出し、棚面等を清掃できる吸込具が提案されている。
【先行技術文献】
【特許文献】
【０００５】
【特許文献１】特開平８−１９１７８２号公報
【特許文献２】特開２０００−２２９０５２号公報
【特許文献３】特開２００２−１４３０５５号公報
【発明の概要】
【発明が解決しようとする課題】
【０００６】
上記の掃除機は、吸口体にモーターを内蔵したパワーヘッドを使用するための配慮がなされていなかった。すなわち、吸込具内に、電力を伝達するための手段が設けられていなかった。
【０００７】
また、電力を伝達するための手段にゴミが付着したり、異物が進入したりする事を防止する手段が設けられていなかった。
【０００８】
本発明の目的は、吸口体にモーターを内蔵したパワーヘッドを使用することができ、かつ電力を伝達するための手段にゴミが付着したり、異物が進入したりする事を防止する事により、安全性および信頼性を高めた電気掃除機の吸込具およびこの吸込具を使用した電気掃除機を提供することにある。
【課題を解決するための手段】
【０００９】
上記目的は、ハケ部材が、当該吸込具の前方から当該吸込具に電気掃除機の延長管や吸口体が挿入された状態では、ケースに収納され、当該吸込具から電気掃除機の延長管や吸口体が取り外された状態では、前方に出ることが可能で、安全カバーが、ハケ部材がケースに収納されているときは接触片を露出させ、ハケ部材が前方へ出ているときは接触片を覆うことにより達成される。
【発明の効果】
【００１０】
本発明によれば、吸口体にモーターを内蔵したパワーヘッドを使用することができ、かつ安全性および信頼性を高めることができるという効果がある。
【図面の簡単な説明】
【００１１】
【図１】本発明の実施例に係る吸込具の外観斜視図である。
【図２】本発明の実施例に係る電気掃除機の外観図である。
【図３】本発明の実施例に係る吸込具の分解図である。
【図４】本発明の実施例に係る吸込具の断面図である。
【図５】本発明の実施例に係る吸込具の正面図である。
【図６】本発明の実施例に係る吸込具の側面図である。
【図７】本発明の実施例に係る吸込具の側面図である。
【図８】本発明の実施例に係る吸込具の側面図である。
【図９】本発明の実施例に係る吸込具の側面図である。
【図１０】本発明の実施例に係る吸込具の使用例を示した図である。
【図１１】本発明の実施例に係る吸込具の使用例を示した図である。
【図１２】本発明の実施例に係る吸込具の上面図である。
【図１３】本発明の実施例に係る吸込具の上面図である。
【図１４】本発明の実施例に係る吸込具の上面図である。
【図１５】本発明の実施例に係る吸込具の上面図である。
【図１６】本発明の実施例に係る吸込具の上面図である。
【図１７】本発明の実施例に係る吸込具の上面図である。
【図１８】本発明の実施例に係る延長管の上面図である。
【発明を実施するための形態】
【００１２】
本発明の目的は、吸口体にモーターを内蔵したパワーヘッドを使用することができ、かつ電力を伝達するための手段にゴミが付着したり、異物が進入したりする事を防止する事により、安全性および信頼性を高めた電気掃除機の吸込具およびこの吸込具を使用した電気掃除機を提供することにある。
【００１３】
そして、上記目的は、吸込具を延長管の手元側に直列に接続し、延長管をはずす事により、ハケ体が露出し、棚面等を清掃できる吸込具において、電力を伝達するための手段を設け、かつこの電力を伝達するための手段にゴミが付着したり、異物が進入したりする事を防止する事により達成される。具体的には、パイプ部材と、該パイプ部材の軸方向に沿って摺動可能で、かつ前記パイプ部材の外周に配設されたハケ部材と、該ハケ部材を覆う収納カバーと、該ハケ部材を前記パイプ部材の軸方向に押し出すバネと、前記パイプ部材の軸方向に沿って形成された穴から該パイプ部材の内周面に突出して設けられ、かつ前記ハケ部材と連動して前記穴の範囲を摺動する突起部材と、前記収納カバー内に配設され前記パイプ部材の軸方向外側に延長管等と係止する係止部と、他端側に押しボタンを有するクランプとを有し、前記突起部材は、前記パイプ部材の軸方向外側から前記パイプ部材内に延長管等を挿入することにより、前記延長管等の端部と当接して前記ハケ部材を前記収納カバーに収納し、前記クランプは前記延長管等と接続して前記ハケ部材を前記収納カバーに収納する状態を保持する電気掃除機の吸込具において、該パイプ部材の前後に接続される延長管や吸口体とを電気的に接続する手段を有することを特徴とする。好ましくは、該ハケ部材が前記パイプ部材の軸方向に押し出された状態では、該電気的に接続する手段が外部に露出させない手段を設ける。好ましくは、該外部に露出しない手段は、弾性体の撓みを利用して、該電気的に接続する手段を覆う。または、吸引力を発生する電動送風機と、この電動送風機の吸引側に集塵室が設けられている電気掃除機本体と、ホース体と、ハンドルグリップと手元スイッチと延長管と吸口を有し、前記吸口体の内部にはブラシを回転させるためのモーターが内蔵されており、前記ホース体、前記ハンドルグリップおよび前記延長管には、前記吸口体のモーターに供給する電源線が設けられている電気掃除機において、前記ハンドルグリップもしくは前記延長管に、電気的に接続する手段が外部に露出しない手段を設けたことを特徴とする。
【００１４】
そして、本発明によれば、吸口体にモーターを内蔵したパワーヘッドを使用することができ、かつ安全性および信頼性を高めることができるという効果がある。
【００１５】
以下、本発明の実施例を図面に従い詳細に説明する。
【実施例１】
【００１６】
図１に本実施例による吸込具の外観斜視図を示す。図１において、１０１はその両端に延長管等との接合部を形成するパイプ、１０２はパイプ１０１の長手方向に摺動可能なハケ台Ｒ、１０３はハケ台Ｒ１０２と回転可能に嵌合するハケ台Ｆ、１０４はハケ台Ｆ１０３に植毛されたハケ部、１０５は延長管等との係止とハケ台Ｒ１０２の係止をかねるクランプ、１０６はハケ台Ｒ１０２とハケ台Ｆ１０３の外周を覆う外ケース、１０７はパイプ１０１の上部を覆う上カバーである。
【００１７】
図２に本実施例による電気掃除機の外観図を示す。図２において、２０１は電気掃除機本体、２０２はホース体、２０３はハンドルグリップ、２０４は手元スイッチ、２０５は延長管、２０６は吸口体、２０７は本発明による吸込具の接続状態を示している。電気掃除機本体の外郭を形成する本体ケーシングの内側には、吸引力を発生する電動送風機と、この電動送風機の吸引側に集塵室が設けられている。なお、図示してはいないが、吸口体２０６の内部にはブラシを回転させるためのモーターが内蔵されており、ホース体２０２、ハンドルグリップ２０３および延長管２０５には、吸口体のモーターに供給する電源線が設けられている。
【００１８】
図３に本実施例による吸込具の主要部品の分解図を示す。図３において、３０１および３０２はハンドルグリップ２０３もしくは延長管２０５から電力を受け取るための接触ピン、３０３および３０４は延長管２０５もしくは吸口体２０６へ電力を供給するための接触片であり、接触ピン３０１と接触片３０３および接触ピン３０２と接触片３０４は、リード線３０５および３０６にて電気的に導通している。３０７は安全カバーであり、その両脇には左右に押し開くことができるアームＲ３０８とアームＬ３０９が設けられている。この安全カバー３０７の上部が接触片３０３および接触片３０４の上部を覆い隠し、かつアームＲ３０８とアームＬ３０９の前部が、接触片３０３および接触片３０４の前部の露出を防いでいる。
【００１９】
図４に本実施例による吸込具の縦断面図を示す。図４において、４０１はパイプ１０１の側面に設けられた穴であり、ハケ台Ｒ１０２に一体に設けられる突起部材４０２がこの穴４０１の範囲で摺動する。
【００２０】
図５に本実施例による吸込具の正面図を示す。吸込具２０７の前方から延長管２０５を挿入すると、延長管の端部が突起部材４０２に接し、それを押すことによりハケ台Ｒ１０２、ハケ台Ｆ１０３およびハケ部１０４が外ケース１０６内に収納される。吸込具の正面図には延長管や吸口体の接触ピンが挿入される穴５０１と穴５０２が設けられており、この奥に接触片３０３および接触片３０４が設けられている。しかし、延長管や吸口体を取り外した状態では、アームＲ３０８とアームＬ３０９の前部が、穴５０１および穴５０２の後方に位置するため、接触片３０３および接触片３０４の前部は露出しない。
【００２１】
図６，図７および図８に、本実施例による吸込具の外ケースを透明化した場合の側面図を示す。クランプ１０５は、クランプバネ（図示せず）によって常時上方へ押し上げられている。
【００２２】
図６の状態から吸込具２０１を使用する場合は、クランプ１０５の押しボタンを押すことにより、クランプの突起部６０１が同時に押し下げられ、ハケ台Ｒ１０２との係止が解除され、バネ６０２の作用によりハケ台Ｒ１０２、ハケ台Ｆ１０３およびハケ部１０４が前方へ押し出される。このとき突起部材４０２が図４に示すパイプ１０１の穴４０１の端部の位置で止まりハケ台Ｆ１０３の抜けを防止している。
【００２３】
図７の状態でも清掃は可能であるが、さらにハケ台Ｆ１０３を１８０度回転させることにより、図８に示すように、ハケ台Ｆ１０３およびハケ部１０４が角度を持たせることができる。
【００２４】
さらに、図９に示すように、掃除面と接触するハケ部９０１の先端を、吸込具の長手方向に対し、斜めに角度をつけることにより、取扱性を向上させることができる。このとき、ハケ台Ｆ１０３は１８０度回転するので、山型にカットすることが望ましい。
【００２５】
図１０，図１１は吸込具２０１の使用例を示したものである。図１０に示すように、テーブルの上等を掃除するときは、吸込具２０１を手元部２０３の先端に取り付ける。また高いところを掃除するときは、図１１に示すように、吸込具２０１を延長管２０５の先端に取り付ける。さらに、ハケ台Ｆ１０３を１８０度回転させることにより、エアコンやカーテンレールの上面を掃除することができる。そして掃除が終了すると、ハケ台Ｆ１０３を元に戻して、吸口体２０６を挿入する。
【００２６】
次には安全カバー３０７の動作を図１２および図１３を用いて説明する。図１２および図１３は説明のため、一部を切り欠いた上面図である。図１２に示すように、延長管２０５を挿した状態では、延長管２０５の接触ピン１２０１および１２０２が安全カバー３０７のアームＲ３０８およびアームＬ３０９を左右に押し開き、接触片３０３および接触片３０４に接触する。このときパイプ１０１をハンドルグリップ２０３に接続すると、延長管２０５とハンドルグリップ２０３は、接触ピン３０１および３０２、リード線３０５および３０６、接触片３０３および３０４によって、電気的にも接続される。そして図１３に示すように、吸込具２０７を用いて被掃除面を清掃するために、延長管２０５を取り外すと、アームＲ３０８およびアームＬ３０９は弾性により、自動的に接触片３０３および３０４の前面の位置に戻る。これにより穴５０１および５０２は塞がれ、接触片３０３および３０４が露出しない。
【００２７】
以上述べたように本実施例によれば、少ないスペースで、かつ少ない部品点数で接触片の露出を防止することができる。これにより、使用者が誤って接触片に触れる恐れが小さくなるので、安全性が向上する。また、ゴミが接触片内部に侵入して電気的接点不良を起こす事も防げるので、信頼性が向上する。
【実施例２】
【００２８】
図１４に第２の実施例による安全カバー１４０１の上面図を示す。本実施例では、安全カバー１４０１のアームＲ１４０２およびアームＬ１４０３の両脇に突起１４０４および１４０５を形成している。この突起１４０４および１４０５は、ハケ台Ｒ１０２およびハケ台Ｆ１０３が外ケース１０６内に収納されている時は接触しないが、図１５に示すように、吸込具を用いて清掃するため、ハケ台Ｒ１０２およびハケ台Ｆ１０３が前方へ押し出されると、突起１４０４および１４０５は、ハケ台Ｒ１０２の壁面１５０１と１５０２に接触する。このため、アームＲ１４０２およびアームＬ１４０３の左右の広がりが規制され、より確実に接触片の露出を防止することができる。また、経時変化で、アームＲ１４０２およびアームＬ１４０３の弾性力が低下し、接触片の前面の位置に戻る力が弱まっても、確実に接触片の前面の位置に戻すことができる。
【実施例３】
【００２９】
第３の実施例による安全カバーの動作を図１６および図１７を用いて説明する。図１６において、１６０１〜１６０４はヒンジ構造をもつカバーである。図１６に示すように、延長管２０５を挿した状態では、延長管２０５の接触ピン１２０１および１２０２が安全カバー１５０１〜１５０４のヒンジ構造を左右に押し開き、接触片３０３および接触片３０４に接触する。そして図１７に示すように、吸込具２０７を用いて被掃除面を清掃するために、延長管２０５を取り外すと、安全カバー１６０１〜１６０４は弾性により、自動的に接触片３０３および３０４の前面の位置に戻る。これにより穴５０１および５０２は塞がれ、接触片３０３および３０４が露出しない。使用者が誤って接触片に触れる恐れが小さくなるので、安全性が向上する。また、ゴミが接触片内部に侵入して電気的接点不良を起こす事も防げるので、信頼性が向上する。
【実施例４】
【００３０】
第４の実施例による安全カバーの動作を図１８を用いて説明する。本実施例は本発明による安全カバーを延長管１８０１に応用した例である。図１８において、１８０３および１８０４は吸口体２０６へ電力を供給するための接触片、１８０２は安全カバーであり、その両脇には左右に押し開くことができるアームＲ１８０５とアームＬ１８０６が設けられている。このアームＲ１８０５とアーム１８０６の前部が、接触片１８０３および接触片１８０４の前部の露出を防いでいる。これにより、延長管１８０１の安全性および信頼性を向上させている。同様に、本発明をハンドルグリップ２０３を適用することも可能である。
【符号の説明】
【００３１】
１０１…パイプ、１０２…ハケ台Ｒ、１０３…ハケ台Ｆ、１０４…ハケ部、１０５…クランプ、１０６…ケース、１０７…上カバー、３０３，３０４…接触片、３０７…安全カバー。
【図１】
0004751944.tif 000002
【図２】
0004751944.tif 000003
【図３】
0004751944.tif 000004
【図４】
0004751944.tif 000005
【図５】
0004751944.tif 000006
【図６】
0004751944.tif 000007
【図７】
0004751944.tif 000008
【図８】
0004751944.tif 000009
【図９】
0004751944.tif 000010
【図１０】
0004751944.tif 000011
【図１１】
0004751944.tif 000012
【図１２】
0004751944.tif 000013
【図１３】
0004751944.tif 000014
【図１４】
0004751944.tif 000015
【図１５】
0004751944.tif 000016
【図１６】
0004751944.tif 000017
【図１７】
0004751944.tif 000018
【図１８】
0004751944.tif 000019